(57)【要約】【課題】総量規制処理による濃度値の削減状況を、視覚的に分かりやすく提供する。【解決手段】画像処理装置２６の第１生成部５０は、複数色の画像形成材料の各々の量に対応する濃度値を画素毎に示す第１画像データを、画素毎の各色の濃度値の合計が予め定められた総量規制値以下となるように、該総量規制値に応じて濃度値を削減した第２画像データを生成する。第２生成部５２は、第１画像データの各画素の濃度値に対応する、第２画像データの各画素の濃度値の削減状況を示す総量規制データを生成する。第３生成部５４は、第２画像データの第１画像データに対する各画素の濃度値の削減状況を、削減状況に応じた表示色で示す表示画像を生成する。表示制御部は、表示画像を表示部に表示する制御を行う。【選択図】図２
2014017541.tif 000002
【特許請求の範囲】
【請求項１】
複数色の画像形成材料の各々の量に対応する濃度値を画素毎に示す第１画像データを、画素毎の各色の濃度値の合計が予め定められた総量規制値以下となるように、該総量規制値に応じて濃度値を削減した第２画像データを生成する第１生成部と、
前記第１画像データの各画素の濃度値に対応する、前記第２画像データの各画素の濃度値の削減状況を示す総量規制データを生成する第２生成部と、
前記第２画像データの前記第１画像データに対する各画素の濃度値の削減状況を、削減状況に応じた表示色で示す表示画像を生成する第３生成部と、
前記表示画像を表示部に表示する制御を行う表示制御部と、
を備えた、画像処理装置。
【請求項２】
前記第２生成部は、
前記第１画像データの各画素の濃度値に対応する、前記第２画像データの各画素の濃度値の削減量を示す第１総量規制データを含む、前記総量規制データを生成する、請求項１に記載の画像処理装置。
【請求項３】
前記第３生成部は、前記第２画像データの前記第１画像データに対する各画素の濃度値の削減量を、前記削減量に応じた表示色で示す第１表示画像を含む、前記表示画像を生成する、請求項２に記載の画像処理装置。
【請求項４】
前記第２生成部は、
前記第１画像データの各画素の濃度値に対応する、前記第２画像データの各画素の濃度値の削減率を示す第２総量規制データを含む、前記総量規制データを生成する、請求項１〜請求項３の何れか１項に記載の画像処理装置。
【請求項５】
前記第３生成部は、前記第２画像データの前記第１画像データに対する各画素の濃度値の削減率を、前記削減率に応じた表示色で示す第２表示画像を含む、前記表示画像を生成する、請求項４に記載の画像処理装置。
【請求項６】
前記第２生成部は、
前記第１画像データの各画素の濃度値に対応する、前記第２画像データの各画素の濃度値の削減の有無を示す第３総量規制データを含む、前記総量規制データを生成する、請求項１〜請求項５の何れか１項に記載の画像処理装置。
【請求項７】
前記第３生成部は、前記第２画像データの前記第１画像データに対する各画素の濃度値の削減の有無を、該削減の有無に応じた表示色で示す第３表示画像を含む、前記表示画像を生成する、請求項６に記載の画像処理装置。
【請求項８】
複数色の画像形成材料の各々の量に対応する濃度値を画素毎に示す第１画像データを、画素毎の各色の濃度値の合計が予め定められた総量規制値以下となるように、該総量規制値に応じて濃度値を削減した第２画像データを生成し、
前記第１画像データの各画素の濃度値に対応する、前記第２画像データの各画素の濃度値の削減状況を示す総量規制データを生成し、
前記第２画像データの前記第１画像データに対する各画素の濃度値の削減状況を、削減状況に応じた表示色で示す表示画像を生成し、
前記表示画像を表示部に表示する制御を行う、
画像処理方法。
【請求項９】
コンピュータを、
複数色の画像形成材料の各々の量に対応する濃度値を画素毎に示す第１画像データを、画素毎の各色の濃度値の合計が予め定められた総量規制値以下となるように、該総量規制値に応じて濃度値を削減した第２画像データを生成する手段と、
前記第１画像データの各画素の濃度値に対応する、前記第２画像データの各画素の濃度値の削減状況を示す総量規制データを生成する手段と、
前記第２画像データの前記第１画像データに対する各画素の濃度値の削減状況を、削減状況に応じた表示色で示す表示画像を生成する手段と、
前記表示画像を表示部に表示する制御を行う手段と、
して機能させる、画像処理プログラム。
【発明の詳細な説明】
【技術分野】
【０００１】
本発明は、画像処理装置、画像処理方法、及び画像処理プログラムに関する。
【背景技術】
【０００２】
トナーやインク等の画像形成材料を記録媒体に付着させることで画像を形成する画像形成装置が知られている。このような画像形成装置では、エンジン等の破損を防止するため、記録媒体に載せる画像形成材料の量を予め定めた一定量（総量規制値と称される）以下とする処理が行われている。このような処理は、総量規制処理、及びトナーリダクション処理と称される場合もある。
【０００３】
総量規制処理においては、記録媒体に載せる画像形成材料の量を総量規制値以下とするために、画像形成に用いる各色の画像データにおける各画素の濃度値を減少させる。このため、総量規制処理を行わない場合に比べて、形成される画像の色再現範囲が狭くなる。
【０００４】
このため、総量規制処理後の画像の印刷結果を推定したプレビュー画像を表示し、ユーザに総量規制処理の影響を確認可能とすることが行われている（例えば、特許文献１参照）。
【発明の概要】
【発明が解決しようとする課題】
【０００５】
しかしながら、従来では、単に総量規制処理後の画像の印刷結果を推定したプレビュー画像を表示しているため、総量規制処理前後の細かな色の違いを提供することは出来なかった。このため、従来では、印刷対象の画像について、総量規制処理の行われた箇所を視覚的に分かりやすく提供することは困難であった。
【０００６】
本発明は、総量規制処理による濃度値の削減状況を、視覚的に分かりやすく提供することができる、画像処理装置、画像処理方法、及び画像処理プログラムを提供することを目的とする。
【課題を解決するための手段】
【０００７】
上述した課題を解決し、目的を達成するために、本発明の画像処理装置は、第１生成部と、第２生成部と、第３生成部と、表示制御部と、を備える。第１生成部は、複数色の画像形成材料の各々の量に対応する濃度値を画素毎に示す第１画像データを、画素毎の各色の濃度値の合計が予め定められた総量規制値以下となるように、該総量規制値に応じて濃度値を削減した第２画像データを生成する。第２生成部は、前記第１画像データの各画素の濃度値に対応する、前記第２画像データの各画素の濃度値の削減状況を示す総量規制データを生成する。第３生成部は、前記第２画像データの前記第１画像データに対する各画素の濃度値の削減状況を、削減状況に応じた表示色で示す表示画像を生成する。表示制御部は、前記表示画像を表示部に表示する制御を行う。
【０００８】
本発明の画像処理方法は、有色画像の形成に用いる複数色の画像形成材料の各々の量に対応する濃度値を画素毎に示す該複数色の色毎の第１画像データを、画素毎の各色の濃度値の合計が予め定められた総量規制値以下となるように、該総量規制値に応じて濃度値を削減した色毎の第２画像データを生成し、前記第１画像データの各画素の濃度値に対応する、前記第２画像データの各画素の濃度値の削減状況を示す総量規制データを生成し、前記第２画像データの前記第１画像データに対する各画素の濃度値の削減状況を、削減状況に応じた表示色で示す表示画像を生成し、前記表示画像を表示部に表示する制御を行う、画像処理方法である。
【０００９】
本発明の画像処理プログラムは、コンピュータを、有色画像の形成に用いる複数色の画像形成材料の各々の量に対応する濃度値を画素毎に示す該複数色の色毎の第１画像データを、画素毎の各色の濃度値の合計が予め定められた総量規制値以下となるように、該総量規制値に応じて濃度値を削減した色毎の第２画像データを生成する手段と、前記第１画像データの各画素の濃度値に対応する、前記第２画像データの各画素の濃度値の削減状況を示す総量規制データを生成する手段と、前記第２画像データの前記第１画像データに対する各画素の濃度値の削減状況を、削減状況に応じた表示色で示す表示画像を生成する手段と、前記表示画像を表示部に表示する制御を行う手段と、して機能させる、画像処理プログラムである。
【発明の効果】
【００１０】
本発明によれば、総量規制処理による濃度値の削減状況を、視覚的に分かりやすく提供することができる、という効果を奏する。
【図面の簡単な説明】
【００１１】
【図１】図１は、画像形成装置のシステム構成図である。
【図２】図２は、画像処理装置の機能ブロック図である。
【図３】図３は、表示処理用画像データのデータ構造を示す模式図である。
【図４】図４は、第１表示画像を含む表示画面の一例を示す模式図である。
【図５】図５は、第２表示画像を含む表示画面の一例を示す模式図である。
【図６】図６は、削減画素率の算出を説明するための模式図である。
【図７】図７は、第３表示画像の生成を示す模式図である。
【図８】図８は、第３表示画像を含む表示画面の一例を示す模式図である。
【図９】図９は、第４表示画像の生成を示す模式図である。
【図１０】図１０は、第４表示画像を含む表示画面の一例を示す模式図である。
【図１１】図１１は、総量規制処理の手順を示すフローチャートである。
【図１２】図１２は、表示画像生成処理の手順を示すフローチャートである。
【図１３】図１３は、第１表示画像生成処理の手順を示すフローチャートである。
【図１４】図１４は、第２表示画像生成処理の手順を示すフローチャートである。
【図１５】図１５は、第３表示画像生成処理の手順を示すフローチャートである。
【図１６】図１６は、第４表示画像生成処理の手順を示すフローチャートである。
【図１７】図１７は、従来の表示画面を示す模式図である。
【発明を実施するための形態】
【００１２】
以下に添付図面を参照して、画像処理装置、画像処理方法、及び画像処理プログラムの一の実施の形態を説明する。
【００１３】
図１は、本実施の形態に係る画像形成装置１０のシステム構成図である。
【００１４】
画像形成装置１０は、ＣＰＵ（Ｃｅｎｔｒａｌ  Ｐｒｏｃｅｓｓｉｎｇ  Ｕｎｉｔ）１２、ＲＯＭ（Ｒｅａｄ  Ｏｎｌｙ  Ｍｅｍｏｒｙ）１４、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１６、ＨＤＤ（Ｈａｒｄ  Ｄｉｓｋ  Ｄｒｉｖｅ）１８、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２０、カウンタ２２、ＮＶＲＡＭ（Ｎｏｎ  Ｖｏｌａｔｉｌｅ  ＲＡＭ）２４、画像処理装置２６、スキャナ部２８、画像形成部３０、操作表示部３２、ＬＡＮ（Ｌｏｃａｌ  Ａｒｅａ  Ｎｅｔｗｏｒｋ）制御部３４、ＦＡＸ部３６、及び表示制御部３１を含む。
【００１５】
これらの、ＣＰＵ１２、ＲＯＭ１４、ＳＤＲＡＭ１６、ＨＤＤ１８、ＡＳＩＣ２０、カウンタ２２、ＮＶＲＡＭ２４、画像処理装置２６、スキャナ部２８、画像形成部３０、操作表示部３２、ＬＡＮ制御部３４、ＦＡＸ部３６、及び表示制御部３１は、システムバス３８を介して接続されている。
【００１６】
ＣＰＵ１２は、画像形成装置１０の全体を制御する。ＲＯＭ１４は、画像形成装置１０で実行する各種プログラムが予め記憶されている。ＣＰＵ１２は、ＲＯＭ１４に記憶されている各種プログラムを実行する。ＳＤＲＡＭ１６は、プログラムのワークメモリや画像データ用のフレームメモリとして機能する。
【００１７】
ＨＤＤ１８は、各種データを記憶する記憶媒体である。カウンタ２２は、後述するスキャナ部２８、画像形成部３０、及びＦＡＸ部３６における記録媒体の処理枚数等をカウントする。ＡＳＩＣ２０は、画像処理用のハードウェア要素を有する画像処理用途向けのＩＣ（Ｉｎｔｅｇｒａｔｅｄ  Ｃｉｒｃｕｉｔ）である。ＡＳＩＣ２０は、ＣＰＵ１２と共に、画像形成装置１０の装置各部の制御を行う。
【００１８】
ＮＶＲＡＭ２４は、書き換え回数に制限のある不揮発性記録媒体である。ＮＶＲＡＭ２４は、画像形成装置１０における各種機能の設定や、画像形成装置１０を使用するユーザを一意に識別するための識別情報や、画像形成装置１０における履歴等の情報を記憶する。
【００１９】
スキャナ部２８は、原稿台（図示省略）に載置された記録媒体の画像を読取り、画像データを取得する。スキャナ部２８には、公知のスキャナ装置を用いる。
【００２０】
操作表示部３２は、各種画像を表示する表示機能と、ユーザからの入力を受け付ける入力機能と、を備える。操作表示部３２には、公知のタッチパネル付ＬＣＤ（Ｌｉｑｕｉｄ  Ｃｒｙｓｔａｌ  Ｄｉｓｐｌａｙ）等が挙げられる。なお、操作表示部３２は、各種画像を表示する表示機能部と、ユーザからの入力を受け付ける入力機能部と、を別体として構成した形態であってもよい。この場合には、表示機能部としては、公知の液晶等の表示装置を用いればよい。また、入力機能部は、ユーザが各種操作入力を行う機能部であればよい。入力機能部には、例えば、マウス、ボタン、リモコン、キーボード、マイク等の音声認識装置、及び画像認識装置等の１または複数を組み合せたもの等が挙げられる。
【００２１】
ＬＡＮ制御部３４は、インターネット等のネットワークに接続された各種外部装置と通信を行う通信機能部である。ＦＡＸ部３６は、記録媒体に形成された画像を読取り、読みとった画像の画像データを、電話回線を介して外部装置へ送信する機能部である。ＦＡＸ部３６には、公知のファクシミリを用いる。
【００２２】
画像形成部３０は、複数色の画像形成材料を用いて、記録媒体に画像を形成する。詳細には、画像形成部３０は、画像処理装置２６から受け付けた第２画像データ（詳細後述）に基づいて、該第２画像データによって特定される、色の画像形成材料を用いて、該第２画像データによって特定される各画素の濃度値に応じた量の画像形成材料を、記録媒体上の、各画素の画素位置に対応する位置に付与する。これによって、画像形成部３０は、第２画像データの画像を記録媒体に記録する。なお、画像形成部３０による記録媒体への画像形成方法は、公知であるため、詳細な説明を省略する。画像形成部３０には、公知の画像形成装置を用いる。なお、画像形成材料は、トナーであってもよいし、インク等の液体であってもよい。
【００２３】
表示制御部３１は、詳細を後述する画像処理装置２６から受け付けた各種画像データの画像や、他の各種画像等を、操作表示部３２へ表示する制御を行う。
【００２４】
画像処理装置２６は、画像形成対象の第１画像データ（詳細後述）に、各種画像処理を実行する。
【００２５】
図２は、画像処理装置２６の機能ブロック図である。
【００２６】
図２に示すように、画像処理装置２６は、フィルタ部４０、変倍部４２、色変換部４４、合成部４６、総量規制部４８、及び第３生成部５４を備える。
【００２７】
フィルタ部４０は、画像形成部３０で画像形成する印刷画像データを取得する。フィルタ部４０は、例えば、ＬＡＮ制御部３４、スキャナ部２８、または画像処理装置２６から、画像形成部３０で画像形成対象の印刷画像データを取得する。本実施の形態では、フィルタ部４０は、Ｒ色（レッド）、Ｇ色（グリーン）、Ｂ色（ブルー）の色毎の印刷画像データを取得する。
【００２８】
フィルタ部４０は、取得した印刷画像データについて、予め設定された画質モード等に従い、空間周波数の補正処理等を行う。画質モードは、画像形成部３０で画像形成するときの画質の種類を示す。画質モードは、例えば、ユーザによる操作表示部３２の操作指示によって予め設定され、画像処理装置２６の図示を省略するメモリ等に記憶されている。また、例えば、フィルタ部４０は、印刷画像データと共に画質モードを取得してもよい。
【００２９】
変倍部４２は、フィルタ部４０で補正処理された印刷画像データを、予め設定された倍率に応じた倍率に変倍する。この倍率は、例えば、ユーザによる操作表示部３２の操作指示によって予め設定され、画像処理装置２６の図示を省略するメモリ等に記憶されている。また、例えば、フィルタ部４０は、印刷画像データと共に、倍率を取得してもよい。
【００３０】
色変換部４４は、変倍部４２で変倍されたＲ色、Ｇ色、Ｂ色の各色の印刷画像データについて、公知の方法によりＣＭＹＫ表色系の画像データに色変換する。これによって、色変換部４４は、Ｃ色（シアン）、Ｍ色（マゼンタ）、Ｙ色（イエロー）、Ｋ色（ブラック）の各色の第１画像データを作成する。
【００３１】
Ｃ色、Ｍ色、Ｙ色、Ｋ色の各色の第１画像データは、画像形成部３０で有色画像の形成に用いる色（Ｃ色、Ｍ色、Ｙ色、Ｋ色）の各々の画像形成材料の量に対応する濃度値を、画素毎に示したデータである。なお、Ｃ色、Ｍ色、Ｙ色、Ｋ色の第１画像データ（すなわち、Ｃ色の第１画像データ、Ｍ色の第１画像データ、Ｙ色の第１画像データ、Ｋ色の第１画像データ）を総称して説明する場合には、第１画像データ、または、Ｃ色、Ｍ色、Ｙ色、Ｋ色の各色の第１画像データと称して説明する場合がある。
【００３２】
合成部４６は、色変換部４４から、第１画像データを取得する。また、合成部４６は、該第１画像データに合成する対象の合成用画像データを取得した場合には、色変換部４４から取得した第１画像データと、合成用画像データと、を合成し、第１画像データとして総量規制部４８へ出力する。なお、合成用画像データは、第１画像データに応じた画像上に重ねる対象の重畳画像を示すデータである。重畳画像には、スタンプを示す画像等があるがこれらに限られない。
【００３３】
なお、合成部４６は、合成用画像データを、スキャナ部２８、及びＬＡＮ制御部３４等から取得する。なお、合成部４６は、合成用画像データを取得しない場合には、色変換部４４から受け付けた第１画像データを、そのまま総量規制部４８へ出力する。
【００３４】
総量規制部４８は、合成部４６から、第１画像データを取得する。そして、総量規制部４８は、第１画像データについて、総量規制処理等の処理を行う。具体的には、総量規制部４８は、第１生成部５０及び第２生成部５２を備える。
【００３５】
第１生成部５０は、Ｃ色、Ｍ色、Ｙ色、Ｋ色の第１画像データについて総量規制処理を行い、Ｃ色、Ｍ色、Ｙ色、Ｋ色の第２画像データを生成する。詳細には、第１生成部５０は、Ｃ色、Ｍ色、Ｙ色、Ｋ色の第１画像データについて、画素毎の各色の濃度値の合計が予め定められた総量規制値以下となるように、総量規制値に応じて濃度値を削減することで、Ｃ色、Ｍ色、Ｙ色、Ｋ色の色毎の第２画像データを生成する。
【００３６】
なお、Ｃ色、Ｍ色、Ｙ色、Ｋ色の第２画像データ（すなわち、Ｃ色の第２画像データ、Ｍ色の第２画像データ、Ｙ色の第２画像データ、Ｋ色の第２画像データ）を総称して説明する場合には、第２画像データ、またはＣ色、Ｍ色、Ｙ色、Ｋ色の各色の第２画像データと称して説明する場合がある。
【００３７】
具体的には、第１生成部５０は、以下の方式により第２画像データを生成する。
【００３８】
第１生成部５０が、総量規制値として、Ｔｌｉｍｉｔを予め定めていたとする。総量規制値は、画像形成部３０に応じた値を予め定めて図示を省略する記憶部に記憶しておいてもよいし、ユーザによる操作表示部３２の操作指示によって入力された総量規制値を予め図示を省略する記憶部に記憶しておいてもよい。総量規制値としては、例えば、濃度値を％で示す場合、２００％以上２５０％以下の値が挙げられるが、任意の値を設定可能であり、これらの値に限られない。また、この総量規制値は、ユーザによる操作表示部３２の操作指示等によって変更可能としてもよい。
【００３９】
第１生成部５０は、Ｃ色、Ｍ色、Ｙ色、Ｋ色の各色の第１画像データを構成する画素毎に、Ｃ色、Ｍ色、Ｙ色、Ｋ色の濃度値の合計が総量規制値を超えているか否かを判断する。具体的には、第１生成部５０は、下記（式１）を用いて、該判断を行う。
【００４０】
【数１】
2014017541.tif 000003
【００４１】
（式１）中、Ｃは、Ｃ色の第１画像データにおける画素の濃度値を示す。（式１）中、Ｍは、Ｍ色の第１画像データにおける画素の濃度値を示す。（式１）中、Ｙは、Ｙ色の第１画像データにおける画素の濃度値を示す。（式１）中、Ｋは、Ｋ色の第１画像データにおける画素の濃度値を示す。
【００４２】
第１生成部５０は、第１画像データを構成する各画素について、（式１）に示す計算を実行し、第１画像データを構成する画素の内、各色の濃度値の合計が総量規制値を超える画素を判別する。
【００４３】
次に、第１生成部５０は、第１画像データにおける、（式１）の関係が成立する各画素に対して、以下の（式２）〜（式５）によって、Ｃ色、Ｍ色、Ｙ色、Ｋ色の各色の第２画像データを作成する。
【００４４】
【数２】
2014017541.tif 000004
【００４５】
（式２）中、Ｃ’は、Ｃ色の第２画像データの画素の濃度値を示す。（式３）中、Ｍ’は、Ｍ色の第２画像データの画素の濃度値を示す。（式４）中、Ｙ’は、Ｙ色の第２画像データの画素の濃度値を示す。（式５）中、Ｋ’は、Ｋ色の第２画像データの画素の濃度値を示す。（式２）〜（式５）中、Ｃ、Ｍ、Ｙ、Ｋは、各々、Ｃ色、Ｍ色、Ｙ色、Ｋ色の各色の第１画像データにおける画素の濃度値を示す。（式２）〜（式４）中、Ｔｌｉｍｉｔは、総量規制値を示す。
【００４６】
（式２）〜（式５）に示すように、Ｃ色、Ｍ色、Ｙ色、Ｋ色の第１画像データについて総量規制処理を行うことで生成された第２画像データは、第１画像データにおける各画素の濃度値を、各画素の濃度値の合計が総量規制値以下となるように削減したデータとなる。
【００４７】
第１生成部５０は、総量規制処理によって生成した第２画像データを、画像形成部３０へ出力する。第２画像データを受け付けた画像形成部３０は、該第２画像データに応じた画像を公知の画像形成処理によって記録媒体に形成する。これによって、記録媒体には、総量規制処理によって生成された第２画像データに応じた画像が形成されることとなる。
【００４８】
第２生成部５２は、第１画像データの各画素の濃度値に対応する、第２画像データの各画素の濃度値の削減状況を示す総量規制データを生成する。
【００４９】
本実施の形態では、第２生成部５２は、第１総量規制データ、第２総量規制データ、及び第３総量規制データの少なくとも１つを含む、総量規制データを作成する。
【００５０】
第１総量規制データは、第１画像データの各画素の濃度値に対応する、第２画像データの各画素の濃度値の削減量を、色毎に示すデータである。詳細には、第１総量規制データは、Ｃ色の第１総量規制データ、Ｍ色の第１総量規制データ、Ｙ色の第１総量規制データ、及びＫ色の第１総量規制データ、の４色分の第１総量規制データからなる。
【００５１】
第２総量規制データは、第１画像データの各画素の濃度値に対応する、第２画像データの各画素の濃度値の削減率を、色毎に示すデータである。詳細には、第２総量規制データは、Ｃ色の第２総量規制データ、Ｍ色の第２総量規制データ、Ｙ色の第２総量規制データ、及びＫ色の第２総量規制データ、の４色分の第２総量規制データからなる。
【００５２】
第３総量規制データは、第１画像データの各画素の濃度値に対応する、第２画像データの各画素の濃度値の削減の有無を色毎に示したデータである。このため、第３総量規制データは、Ｃ色の第３総量規制データ、Ｍ色の第３総量規制データ、Ｙ色の第３総量規制データ、及びＫ色の第３総量規制データ、の４色分の第３総量規制データからなる。
【００５３】
第２生成部５２は、第１総量規制データを下記方法により作成する。
【００５４】
第２生成部５２は、第１生成部５０から取得した、Ｃ色、Ｍ色、Ｙ色、Ｋ色の各色の第１画像データ、及びＣ色、Ｍ色、Ｙ色、Ｋ色の各色の第２画像データ、に基づいて、これらの画像データを構成する画素毎に、同じ色の第１画像データと第２画像データ間の濃度値を比較することで、削減量を計算する。これによって、第２生成部５２は、第２画像データの各画素の濃度値の削減量を、色毎（Ｃ色、Ｍ色、Ｙ色、Ｋ色毎）に示す第１総量規制データを生成する。
【００５５】
（式６）〜（式９）には、第２生成部５２が、Ｃ色、Ｍ色、Ｙ色、Ｋ色の各色の第１総量規制データの作成に用いる式を示した。
【００５６】
【数３】
2014017541.tif 000005
【００５７】
（式６）中、Ｃｄｉｆｆは、Ｃ色の第１画像データの画素の濃度値に対する、Ｃ色の第２画像データの画素の濃度値の削減量を示す。（式６）中、Ｃは、Ｃ色の第１画像データの画素の濃度値を示す。（式６）中、Ｃ’は、Ｃ色の第２画像データの画素の濃度値を示す。
【００５８】
（式７）中、Ｍｄｉｆｆは、Ｍ色の第１画像データの画素の濃度値に対する、Ｍ色の第２画像データの画素の濃度値の削減量を示す。（式７）中、Ｍは、Ｍ色の第１画像データの画素の濃度値を示す。（式７）中、Ｍ’は、Ｍ色の第２画像データの画素の濃度値を示す。
【００５９】
（式８）中、Ｙｄｉｆｆは、Ｙ色の第１画像データの画素の濃度値に対する、Ｙ色の第２画像データの画素の濃度値の削減量を示す。（式８）中、Ｙは、Ｙ色の第１画像データの画素の濃度値を示す。（式８）中、Ｙ’は、Ｙ色の第２画像データの画素の濃度値を示す。
【００６０】
（式９）中、Ｋｄｉｆｆは、Ｋ色の第１画像データの画素の濃度値に対する、Ｋ色の第２画像データの画素の濃度値の削減量を示す。（式９）中、Ｋは、Ｋ色の第１画像データの画素の濃度値を示す。（式９）中、Ｋ’は、Ｋ色の第２画像データの画素の濃度値を示す。
【００６１】
第２生成部５２は、Ｃ色の第１画像データとＣ色の第２画像データとを用いて、画素毎に（式６）の処理を実行することで、Ｃ色の第１総量規制データを作成する。また、第２生成部５２は、Ｍ色の第１画像データとＭ色の第２画像データと用いて、画素毎に（式７）の処理を実行することで、Ｍ色の第１総量規制データを作成する。
【００６２】
また、第２生成部５２は、Ｙ色の第１画像データとＹ色の第２画像データと用いて、画素毎に（式８）の処理を実行することで、Ｙ色の第１総量規制データを作成する。また、第２生成部５２は、Ｋ色の第１画像データとＫ色の第２画像データとを用いて、画素毎に（式９）の処理を実行することで、Ｋ色の第１総量規制データを作成する。
【００６３】
第２生成部５２は、第２総量規制データを下記方法により作成する。
【００６４】
第２生成部５２は、第１生成部５０から取得した、Ｃ色、Ｍ色、Ｙ色、Ｋ色の各色の第１画像データ、及びＣ色、Ｍ色、Ｙ色、Ｋ色の各色の第２画像データ、に基づいて、これらの画像データを構成する画素毎に、同じ色の第１画像データと第２画像データ間の濃度値を比較することで、削減率を計算する。これによって、第２生成部５２は、第２画像データの各画素の濃度値の削減率を、色毎（Ｃ色、Ｍ色、Ｙ色、Ｋ色毎）に示す第２総量規制データを生成する。
【００６５】
（式１０）〜（式１３）には、第２生成部５２が、Ｃ色、Ｍ色、Ｙ色、Ｋ色の各色の第２総量規制データの作成に用いる式を示した。
【００６６】
【数４】
2014017541.tif 000006
【００６７】
（式１０）中、Ｒｃは、Ｃ色の第１画像データの画素の濃度値に対する、Ｃ色の第２画像データの画素の濃度値の削減率を示す。（式１０）中、Ｃは、Ｃ色の第１画像データの画素の濃度値を示す。（式１０）中、Ｃ’は、Ｃ色の第２画像データの画素の濃度値を示す。
【００６８】
（式１１）中、Ｒｍは、Ｍ色の第１画像データの画素の濃度値に対する、Ｍ色の第２画像データの画素の濃度値の削減率を示す。（式１１）中、Ｍは、Ｍ色の第１画像データの画素の濃度値を示す。（式１１）中、Ｍ’は、Ｍ色の第２画像データの画素の濃度値を示す。
【００６９】
（式１２）中、Ｒｙは、Ｙ色の第１画像データの画素の濃度値に対する、Ｙ色の第２画像データの画素の濃度値の削減率を示す。（式１２）中、Ｙは、Ｙ色の第１画像データの画素の濃度値を示す。（式１２）中、Ｙ’は、Ｙ色の第２画像データの画素の濃度値を示す。
【００７０】
（式１３）中、Ｒｋは、Ｋ色の第１画像データの画素の濃度値に対する、Ｋ色の第２画像データの画素の濃度値の削減率を示す。（式１３）中、Ｋは、Ｋ色の第１画像データの画素の濃度値を示す。（式１３）中、Ｋ’は、Ｋ色の第２画像データの画素の濃度値を示す。
【００７１】
（式１０）〜（式１２）中、Ｔｌｉｍｉｔは、総量規制値を示す。なお、（式１０）〜（式１３）中、最も右辺側に示す式は、上記（式１）の関係が成り立つ場合の式である。
【００７２】
第２生成部５２は、Ｃ色の第１画像データとＣ色の第２画像データとを用いて、画素毎に（式１０）の処理を実行することで、Ｃ色の第２総量規制データを作成する。また、第２生成部５２は、Ｍ色の第１画像データとＭ色の第２画像データとを用いて、画素毎に（式１１）の処理を実行することで、Ｍ色の第２総量規制データを作成する。
【００７３】
また、第２生成部５２は、Ｙ色の第１画像データとＹ色の第２画像データとを用いて、画素毎に（式１２）の処理を実行することで、Ｙ色の第２総量規制データを作成する。また、第２生成部５２は、Ｋ色の第１画像データとＫ色の第２画像データとを用いて、画素毎に（式１３）の処理を実行することで、Ｋ色の第２総量規制データを作成する。
【００７４】
また、第２生成部５２は、第３総量規制データを下記方法により作成する。
【００７５】
第２生成部５２は、第１生成部５０から取得した、Ｃ色、Ｍ色、Ｙ色、Ｋ色の各色の第１画像データ、及びＣ色、Ｍ色、Ｙ色、Ｋ色の各色の第２画像データ、に基づいて、これらの画像データを構成する画素毎に、同じ色の第１画像データと第２画像データ間の濃度値を比較することで、濃度値の削減の有無を求める。これによって、第２生成部５２は、第２画像データの各画素の濃度値の削減の有無を、色毎（Ｃ色、Ｍ色、Ｙ色、Ｋ色毎）に示す第３総量規制データを生成する。
【００７６】
総量規制部４８は、第１生成部５０で生成した第２画像データを、画像形成部３０へ送信する。また、総量規制部４８は、第１生成部５０で生成した第２画像データ、及び第２生成部５２で生成した総量規制データ（第１総量規制データ、第２総量規制データ、第３総量規制データ）を含む、表示処理用画像データを、第３生成部５４へ送信する。
【００７７】
図３は、表示処理用画像データのデータ構造を示す模式図である。
【００７８】
図３に示すように、表示処理用画像データ６０は、各頁単位で生成される。
【００７９】
表示処理用画像データ６０は、頁毎に、管理情報６０Ａ、第２画像データ６０Ｂ、及び総量規制データ６０Ｃを含む。総量規制データ６０Ｃは、第１総量規制データ６０Ｄ、第２総量規制データ６０Ｅ、及び第３総量規制データ６０Ｆからなる。
【００８０】
管理情報６０Ａは、該管理情報６０Ａを含む頁を示す情報や、第２画像データ６０Ｂや総量規制データ６０Ｃの生成された時刻等、総量規制処理に関する各種情報を含む。
【００８１】
総量規制部４８は、頁毎に、管理情報６０Ａ、第２画像データ６０Ｂ及び総量規制データ６０Ｃを含む、表示処理用画像データ６０を、第３生成部５４へ出力する。
【００８２】
図２へ戻り、第３生成部５４は、操作表示部３２に表示するための表示画像を生成する。
【００８３】
第３生成部５４は、第２画像データの第１画像データに対する各画素の濃度値の削減状況を、削減状況に応じた表示色で示す表示画像を生成する。また、第３生成部５４は、第２画像データのプレビュー画像を生成する。
【００８４】
具体的には、第３生成部５４は、第２表示画像生成部５６及び第１表示画像生成部５８を含む。
【００８５】
第２表示画像生成部５６は、Ｃ色、Ｍ色、Ｙ色、Ｋ色の各色の第２画像データを、公知の色変換処理によってＲ色、Ｇ色、Ｂ色の各色の第２画像データに変換する。これによって、第２表示画像生成部５６は、第１画像データについて総量規制処理を行った後の画像の印刷結果を推定したプレビュー画像を生成する。そして、第２表示画像生成部５６は、生成したＲ色、Ｇ色、Ｂ色の各色の第２画像データである、第２画像データのプレビュー画像を、表示制御部３１へ出力する。
【００８６】
第１表示画像生成部５８は、総量規制部４８から受け付けた表示処理用画像データ６０に含まれる総量規制データ６０Ｃを用いて、第２画像データの第１画像データに対する各画素の濃度値の削減状況を、削減状況に応じた表示色で示す表示画像を生成する。
【００８７】
表示画像は、第１表示画像、第２表示画像、第３表示画像、及び第４表示画像の少なくとも１つを含む。
【００８８】
第１表示画像は、第２画像データの第１画像データに対する各画素の濃度値の削減量を、削減量に応じた表示色で示す表示画像である。第２表示画像は、第２画像データの第１画像データに対する各画素の濃度値の削減率を、削減率に応じた表示色で示す表示画像である。
【００８９】
第３表示画像は、第１画像データ及び第２画像データを、予め定めたブロックに分割し、第２画像データの第１画像データに対する各ブロックの、濃度値の削減された画素の割合（削減画素率と称する）を、該削減画素率に応じた色で表す表示画像である。
【００９０】
第４表示画像は、第２画像データの第１画像データに対する濃度値の削減の有無を、画素毎またはブロック毎に示す表示画像である。
【００９１】
なお、ブロックは、ｎ×ｎ個の画素の集合で示される。なお、ｎは、１以上の整数であり、予め値が定められる。なお、このｎの値は、ユーザによる操作表示部３２の操作指示によって変更可能としてもよい。
【００９２】
第１表示画像生成部５８は、以下の方法により、第１表示画像、第２表示画像、第３表示画像、及び第４表示画像の各々を作成する。
【００９３】
まず、第１表示画像の作成について説明する。
【００９４】
第１表示画像生成部５８は、まず、総量規制部４８から取得した表示処理用画像データ６０に含まれる第１総量規制データ６０Ｄを読み取る。そして、第１表示画像生成部５８は、第１総量規制データ６０Ｄを構成する、Ｃ色の第１総量規制データ、Ｍ色の第１総量規制データ、Ｙ色の第１総量規制データ、及びＫ色の第１総量規制データ、の４色分の第１総量規制データを構成する各画素について、以下の処理を繰り返す。
【００９５】
まず、第１表示画像生成部５８は、各色の第１総量規制データ６０Ｄにおける、任意の一の画素位置の画素について、Ｃ色、Ｍ色、Ｙ色、Ｋ色の各々の削減量を取得する。次に、第１表示画像生成部５８は、該画素位置の画素における、Ｃ色、Ｍ色、Ｙ色、Ｋ色の削減量の内の最大値を、当該画素位置における最大削減量（Ｒｍａｘｄｉｆｆと称する場合がある）として算出する。
【００９６】
なお、任意の一の画素位置の画素における、最大削減量は、下記（式１４）で示される。
【００９７】
【数５】
2014017541.tif 000007
【００９８】
（式１４）中、Ｃｄｉｆｆは、Ｃ色の濃度値の削減量を示す。（式１４）中、Ｍｄｉｆｆは、Ｍ色の濃度値の削減量を示す。（式１４）中、Ｙｄｉｆｆは、Ｙ色の濃度値の削減量を示す。（式１４）中、Ｋｄｉｆｆは、Ｋ色の濃度値の削減量を示す。
【００９９】
ここで、第１表示画像生成部５８は、最大削減量に対応する表示色を予め定め、図示を省略するメモリに予め記憶している。表示色とは、色相、濃度、明度等によって特定される。例えば、第１表示画像生成部５８は、最大削減量の予め定めた上限値に対応する表示色（色相、濃度、明度）と、最大削減量の下限値（０）に対応する表示色（色相、濃度、明度）と、を予め設定すると共に、最大削減量の値が上限値に近づくほど上限値に対応する表示色に近づき、最大削減量の値が下限値に近づくほど下限値に対応する表示色に近づくように、最大削減量に対応する表示色を予め定めている。
【０１００】
そして、第１表示画像生成部５８は、算出した最大削減量に対応する表示色を、当該画素位置の画素の表示色として決定する。また、第１表示画像生成部５８は、全ての画素位置の画素について、上記処理を繰り返す。これによって、第１表示画像生成部５８は、各画素位置の画素について、濃度値の削減量（具体的には、最大削減量）に応じた色を設定することで、表示用の第１表示画像を生成する。
【０１０１】
なお、本実施の形態では、第１表示画像生成部５８は、各画素位置の画素における、Ｃ色、Ｍ色、Ｙ色、Ｋ色の濃度値の削減量の最大値を、当該画素位置における最大削減量として求め、最大削減量に応じた表示色を、該画素位置の画素の表示色として設定した。しかし、第１表示画像生成部５８は、最大削減量に代えて、各画素位置の画素における、Ｃ色、Ｍ色、Ｙ色、Ｋ色の濃度値の削減量の平均値を用いて、表示色を決定してもよい。
【０１０２】
また、第１表示画像生成部５８は、第２画像データを構成する各画素を複数のブロックに分割したブロック毎に、最大削減量を求め、求めた最大削減量に応じた色を設定してもよい。
【０１０３】
図４は、第１表示画像生成部５８が作成した第１表示画像を含む表示画面８０の一例を示す模式図である。表示画面８０は、第３生成部５４によって作成され、表示制御部３１によって操作表示部３２に表示される。
【０１０４】
図４に示す例では、表示画面８０は、第２表示画像生成部５６が作成した第２画像データのプレビュー画像８０Ａと、第１表示画像生成部５８が作成した第１表示画像８０Ｅを含む表示画像８０Ｂと、を含む。
【０１０５】
図４に示すように、表示画像８０Ｂは、ゲージ画像８０Ｄと、第１表示画像８０Ｅと、を含む。第１表示画像８０Ｅは、上述したように、第２画像データの第１画像データに対する各画素の濃度値の削減量を、削減量に応じた表示色で示す表示画像である。ゲージ画像８０Ｄは、濃度値の削減量（各画素の最大削減量）を示す値と、各削減量に対応する表示色と、の対応関係を示す画像である。
【０１０６】
このように、第３生成部５４が、第１表示画像８０Ｅを含む表示画像８０Ｂを作成し、該表示画像８０Ｂが表示制御部３１によって操作表示部３２に表示されることで、総量規制処理による各画素の濃度値の削減量を、詳細に且つわかりやすく提供することができる。
【０１０７】
また、表示画像８０Ｂが、ゲージ画像８０Ｄを含むので、更にわかりやすく、総量規制処理による各画素の濃度値の削減量を提供することができる。表示画面８０は、表示画像８０Ｂと共に、第２画像データのプレビュー画像８０Ａも併せて表示する。このため、本実施の形態の画像処理装置２６では、ユーザに対して、さらにわかりやすく、総量規制処理による各画素の濃度値の削減状況を提供することができる。
【０１０８】
次に、第２表示画像の作成について説明する。
【０１０９】
第１表示画像生成部５８は、まず、総量規制部４８から取得した表示処理用画像データ６０に含まれる第２総量規制データ６０Ｅを読み取る。そして、第１表示画像生成部５８は、第２総量規制データ６０Ｅを構成する、Ｃ色の第２総量規制データ、Ｍ色の第２総量規制データ、Ｙ色の第２総量規制データ、及びＫ色の第２総量規制データ、の４色分の第２総量規制データを構成する各画素について、以下の処理を繰り返す。
【０１１０】
まず、第１表示画像生成部５８は、各色の第２総量規制データ６０Ｅにおける、任意の一の画素位置の画素について、Ｃ色、Ｍ色、Ｙ色、Ｋ色の各々の濃度値の削減率を取得する。次に、第１表示画像生成部５８は、該画素位置の画素における、Ｃ色、Ｍ色、Ｙ色、Ｋ色の濃度値の削減率の内の最大値を、当該画素位置における最大削減率（ＲｍａｘＲと称する場合がある）として算出する。
【０１１１】
なお、任意の一の画素位置の画素における、最大削減率は、下記（式１５）で示される。
【０１１２】
【数６】
2014017541.tif 000008
【０１１３】
ここで、第１表示画像生成部５８は、最大削減率に対応する表示色を予め定め、図示を省略するメモリに予め記憶している。表示色とは、色相、濃度、明度等によって特定される。例えば、第１表示画像生成部５８は、最大削減率の予め定めた上限値に対応する表示色（色相、濃度、明度）と、最大削減率の下限値（０）に対応する表示色（色相、濃度、明度）と、を予め設定すると共に、最大削減率の値が上限値に近づくほど上限値に対応する表示色に近づき、最大削減率の値が下限値に近づくほど下限値に対応する表示色に近づくように、最大削減率に対応する表示色を予め定めている。
【０１１４】
そして、第１表示画像生成部５８は、算出した最大削減率に対応する表示色を、当該画素位置の画素の表示色として決定する。また、第１表示画像生成部５８は、全ての画素位置の画素について、上記処理を繰り返す。これによって、第１表示画像生成部５８は、各画素位置の画素について、濃度値の削減率（具体的には、最大削減率）に応じた表示色を設定することで、表示用の第２表示画像を生成する。
【０１１５】
なお、本実施の形態では、第１表示画像生成部５８は、各画素位置の画素における、Ｃ色、Ｍ色、Ｙ色、Ｋ色の濃度値の削減率の最大値を、当該画素位置における最大削減率として求め、最大削減率に応じた色を該画素位置の画素の表示色に設定した。しかし、第１表示画像生成部５８は、最大削減率に代えて、各画素位置の画素における、Ｃ色、Ｍ色、Ｙ色、Ｋ色の削減率の平均値を用いて、表示色を決定してもよい。
【０１１６】
また、第１表示画像生成部５８は、第２画像データを構成する各画素を複数のブロックに分割したブロック毎に最大削減率を求め、求めた最大削減率に応じた表示色を設定してもよい。
【０１１７】
図５は、第１表示画像生成部５８が作成した第２表示画像を含む表示画面８２の一例を示す模式図である。表示画面８２は、第３生成部５４によって作成され、表示制御部３１によって操作表示部３２に表示される。
【０１１８】
図５に示す例では、表示画面８２は、第２表示画像生成部５６が作成した第２画像データのプレビュー画像８２Ａと、第１表示画像生成部５８が作成した第２表示画像８２Ｅを含む表示画像８２Ｂと、を含む。
【０１１９】
図５に示すように、表示画像８２Ｂは、ゲージ画像８２Ｄと、第２表示画像８２Ｅと、を含む。第２表示画像８２Ｅは、上述したように、第２画像データの第１画像データに対する各画素の濃度値の削減率を、削減率に応じた表示色で示す表示画像である。ゲージ画像８２Ｄは、濃度値の削減率（各画素の最大削減率）を示す値と、該削減率に対応する表示色と、の対応関係を示す画像である。
【０１２０】
このように、第３生成部５４が、第２表示画像８２Ｅを含む表示画像８２Ｂを作成し、表示制御部３１によって操作表示部３２に表示されることで、総量規制処理による各画素の濃度値の削減率を、詳細に且つわかりやすく提供することができる。
【０１２１】
また、表示画像８２Ｂが、ゲージ画像８２Ｄを含むので、更にわかりやすく、総量規制処理による各画素の濃度値の削減率を提供することができる。表示画面８２は、表示画像８２Ｂと共に、第２画像データのプレビュー画像８２Ａも併せて表示する。このため、本実施の形態の画像処理装置２６では、ユーザに対して、さらにわかりやすく、総量規制処理による各画素の濃度値の削減状況を提供することができる。
【０１２２】
次に、第３表示画像の作成について説明する。
【０１２３】
第１表示画像生成部５８は、まず、総量規制部４８から取得した表示処理用画像データ６０に含まれる第３総量規制データ６０Ｆを読み取る。そして、第１表示画像生成部５８は、第３総量規制データ６０Ｆを構成する画素を複数のブロックに分割する。なお、ブロックを構成する画素数（ｎ×ｎ個（ｎは１以上の整数））は、予め設定されている。また、上記と同様に、このｎの値は、ユーザによる操作表示部３２の操作指示によって変更可能である。
【０１２４】
さらに、第１表示画像生成部５８は、第３総量規制データ６０Ｆを構成する、Ｃ色の第３総量規制データ、Ｍ色の第３総量規制データ、Ｙ色の第３総量規制データ、及びＫ色の第３総量規制データ、の４色分の第３総量規制データの各ブロックについて、以下の処理を繰り返す。
【０１２５】
まず、第１表示画像生成部５８は、各色の第３総量規制データ６０Ｆから、任意の一のブロック内における、濃度値の削減された画素の割合（削減画素率と称する）を算出する。
【０１２６】
次に、第１表示画像生成部５８は、各色の第３総量規制データ６０Ｆから算出した、当該ブロックにおける削減画素率の最大値を、最大削減画素率（Ｒｍａｘｒａｔｉｏと称する場合がある）として算出する。
【０１２７】
図６は、第１表示画像生成部５８が第３表示画像の生成時に算出する、削減画素率の算出を説明するための模式図である。
【０１２８】
図６（Ａ）は、ある一色（例えばＣ色）の第１画像データを、ｎ×ｎ個の画素７２の集合であるブロック７０に分割したときの、１のブロック７０を示す模式図である。なお、ｎは、１以上の整数である。図６（Ｂ）は、Ｃ色の第１画像データを総量規制処理することで得られたＣ色の第２画像データにおける、該ブロック７０に対応する領域（ブロック７１）を示す模式図である。
【０１２９】
図６（Ａ）及び図６（Ｂ）に示すように、Ｃ色の第１画像データについて総量規制処理が行われ、Ｃ色の第２画像データが生成されると、例えば、Ｃ色の第１画像データにおけるブロック７０に含まれる複数の画素７２の内、少なくとも一部の画素７２Ｂについては、濃度値が削減され、その他の画素７２Ａについては、濃度値が削減されない状態となる。
【０１３０】
ここで、ｎ×ｎ個の画素７２からなるブロック７０（ブロック７１）における、濃度値の削減された画素の割合（削減画素率と称する）は、下記（式１６）によって表される。
【０１３１】
【数７】
2014017541.tif 000009
【０１３２】
（式１６）中、Ｒｒａｔｉｏは、当該ブロックにおける、第１画像データに対する第２画像データの削減画素率を示す。具体的には、Ｒｒａｔｉｏは、第１画像データにおけるブロック７０のｎ×ｎ個の画素に対する、第２画像データにおける、該ブロック７０に対応するブロック７１における濃度値の削減された画素数の割合を示す。
【０１３３】
例えば、図６において、ｎ＝４とし、ブロック７０（ブロック７１）を構成する画素数が１６（ｎ×ｎ＝１６）であり、該ブロック７０において濃度値の削減された画素の数が４であるとする。この場合、該値を上記（式１６）に当てはめることで、下記（式１７）を算出することによって、該ブロック７１の削減画素率は、０．２５となる。このようにして、第１表示画像生成部５８は、削減画素率を算出する。
【０１３４】
【数８】
2014017541.tif 000010
【０１３５】
なお、上記では、各ブロックを構成するｎ×ｎ個の画素として、ｎ＝４として設定したが、ｎの値は、１以上の整数であればよく、４に限られない。
【０１３６】
なお、上述したように、第３総量規制データは、Ｃ色の第３総量規制データ、Ｍ色の第３総量規制データ、Ｙ色の第３総量規制データ、及びＫ色の第３総量規制データからなる。
【０１３７】
このため、詳細には、第１表示画像生成部５８は、Ｃ色、Ｍ色、Ｙ色、Ｋ色の各色の第３総量規制データにおける各ブロックについて、下記（式１８）〜（式２１）を用いて削減画素率を算出する。
【０１３８】
【数９】
2014017541.tif 000011
【０１３９】
（式１８）中、ＲＣｒａtｉｏは、Ｃ色の第１画像データのブロックを構成する画素の濃度値に対する、Ｃ色の第２画像データの対応するブロックを構成する画素の濃度値の削減画素率を示す。（式１９）中、ＲＭｒａtｉｏは、Ｍ色の第１画像データのブロックを構成する画素の濃度値に対する、Ｍ色の第２画像データの対応するブロックを構成する画素の濃度値の削減画素率を示す。
【０１４０】
（式２０）中、ＲＹｒａtｉｏは、Ｙ色の第１画像データのブロックを構成する画素の濃度値に対する、Ｙ色の第２画像データの対応するブロックを構成する画素の濃度値の削減画素率を示す。（式２１）中、ＲＫｒａtｉｏは、Ｋ色の第１画像データのブロックを構成する画素の濃度値に対する、Ｋ色の第２画像データの対応するブロックを構成する画素の濃度値の削減画素率を示す。
【０１４１】
なお、第１表示画像生成部５８は、上記（式１８）〜（式２１）における、ブロック内の各色について濃度値を削減された画素数を、各色の第３総量規制データ６０Ｆから算出する。すなわち、第１表示画像生成部５８は、各色の削減画素率（ＲＣｒａtｉｏ、ＲＭｒａtｉｏ、ＲＹｒａtｉｏ、ＲＫｒａtｉｏ）を、各色の第３総量規制データ６０Ｆから算出する。
【０１４２】
そして、第１表示画像生成部５８は、ブロック毎に算出した、各色の削減画素率の内の最大値である最大削減画素率を、下記（式２２）を用いて、ブロック毎に算出する。
【０１４３】
【数１０】
2014017541.tif 000012
【０１４４】
（式２２）中、Ｒｍａｘｒａｔｉｏは、各ブロックの最大削減画素率を示す。（式２２）中、ＲＣｒａtｉｏ、ＲＭｒａtｉｏ、ＲＹｒａtｉｏ、ＲＫｒａtｉｏは、上記（式１８）〜（式２１）と同様である。
【０１４５】
そして、第１表示画像生成部５８は、算出した最大削減画素率に対応する表示色を、当該ブロックの表示色として決定する。
【０１４６】
ここで、第１表示画像生成部５８は、最大削減画素率に対応する表示色を予め定め、図示を省略するメモリに予め記憶している。表示色とは、色相、濃度、明度等によって特定される。例えば、第１表示画像生成部５８は、最大削減画素率の予め定めた上限値に対応する表示色（色相、濃度、明度）と、最大削減画素率の下限値（０）に対応する表示色（色相、濃度、明度）と、を予め設定すると共に、最大削減画素率の値が上限値に近づくほど上限値に対応する表示色に近づき、最大削減画素率の値が下限値に近づくほど下限値に対応する表示色に近づくように、最大削減画素率に対応する表示色を予め定めている。
【０１４７】
このため、第１表示画像生成部５８は、算出した最大削減画素率に対応する表示色を、当該ブロックの表示色として決定する。また、第１表示画像生成部５８は、全てのブロックについて、上記処理を繰り返す。これによって、第１表示画像生成部５８は、各ブロックについて、濃度値の削減画素率（具体的には、最大削減画素率）に応じた表示色を設定し、表示用の第３表示画像を生成する。
【０１４８】
図７は、第３表示画像の生成を示す模式図である。
【０１４９】
図７（Ａ）は、第３総量規制データ７４を示す模式図である。図７（Ｂ）は、第３表示画像７５を示す模式図である。
【０１５０】
第３総量規制データ７４は、Ｃ色、Ｍ色、Ｙ色、Ｋ色の各々の各色の第３総量規制データからなる。このため、図７（Ａ）に示すように、第１表示画像生成部５８は、第３総量規制データ７４における、Ｃ色、Ｍ色、Ｙ色、Ｋ色の各々のブロック７４Ａ内の削減画素率（ＲＣｒａtｉｏ、ＲＭｒａtｉｏ、ＲＹｒａtｉｏ、ＲＫｒａtｉｏ）を算出する。そして、第１表示画像生成部５８は、各ブロック７４Ａにおける、各色の削減画素率の内の最大値を、最大削減画素率（Ｒｍａｘｒａｔｉｏ）として算出する。さらに、第１表示画像生成部５８は、算出した最大削減画素率（Ｒｍａｘｒａｔｉｏ）に対応する表示色を、ブロックの表示色として定め、全てのブロックについて同様の処理を行うことで、第３表示画像７５を作成する。
【０１５１】
図８は、第１表示画像生成部５８が作成した第３表示画像を含む表示画面８４の一例を示す模式図である。表示画面８４は、第３生成部５４によって作成され、表示制御部３１によって操作表示部３２に表示される。
【０１５２】
図８に示す例では、表示画面８４は、第２表示画像生成部５６が作成した第２画像データのプレビュー画像８４Ａと、第１表示画像生成部５８が作成した第３表示画像８４Ｅを含む表示画像８４Ｂと、を含む。
【０１５３】
図８に示すように、表示画像８４Ｂは、ゲージ画像８４Ｄと、第３表示画像８４Ｅと、を含む。第３表示画像８４Ｅは、上述したように、第１画像データ及び第２画像データを、予め定めたブロックに分割し、第２画像データの第１画像データに対する各ブロックの、濃度値の削減された画素の割合（削減画素率）を、該削減画素率に応じた表示色で表す表示画像である。ゲージ画像８４Ｄは、削減画素率を示す値と、削減画素率に対応する表示色と、の対応関係を示す画像である。
【０１５４】
このように、第３生成部５４が、第３表示画像８４Ｅを含む表示画像８４Ｂを作成し、表示制御部３１によって操作表示部３２に表示することで、総量規制処理によって濃度値の削減された領域、及び削減画素率を、詳細に且つわかりやすく提供することができる。
【０１５５】
また、表示画像８４Ｂが、ゲージ画像８４Ｄを含むので、更にわかりやすく、総量規制処理による濃度値の削減された削減画素率を提供することができる。表示画面８４は、表示画像８４Ｂと共に、第２画像データのプレビュー画像８４Ａも併せて表示する。このため、本実施の形態の画像処理装置２６では、ユーザに対して、さらにわかりやすく、総量規制処理による濃度値の削減画素率を提供することができる。
【０１５６】
次に、第４表示画像の作成について説明する。
【０１５７】
第１表示画像生成部５８は、まず、総量規制部４８から取得した表示処理用画像データ６０に含まれる第３総量規制データ６０Ｆを読み取る。そして、第１表示画像生成部５８は、第３総量規制データ６０Ｆを構成する画素を複数のブロックに分割する。なお、ブロックを構成する画素数（ｎ×ｎ個（ｎは１以上の整数））は、予め設定されている。また、上記と同様に、このｎの値は、ユーザによる操作表示部３２の操作指示によって変更可能である。
【０１５８】
さらに、第１表示画像生成部５８は、第３総量規制データ６０Ｆを構成する、Ｃ色の第３総量規制データ、Ｍ色の第３総量規制データ、Ｙ色の第３総量規制データ、及びＫ色の第３総量規制データ、の４色分の第３総量規制データの各ブロックについて、以下の処理を繰り返す。
【０１５９】
まず、第１表示画像生成部５８は、各色の第３総量規制データ６０Ｆから、任意の一のブロック内における、濃度値の削減された画素の割合（削減画素率と称する）を、各色の第３総量規制データ６０Ｆごとに算出する。
【０１６０】
次に、第１表示画像生成部５８は、各色の第３総量規制データ６０Ｆから算出した、当該ブロックにおける削減画素率の最大値を、最大削減画素率（Ｒｍａｘｒａｔｉｏと称する場合がある）として算出する。なお、最大削減画素率の算出は、第３表示画像の生成と同様にして行う。
【０１６１】
そして、第１表示画像生成部５８は、算出した最大削減画素率が、予め定めた閾値Ｓ以上である場合に、当該ブロックに相当する領域を囲む枠線画像を生成する。そして、第１表示画像生成部５８は、第２表示画像生成部５６が生成した第２画像データのプレビュー画像に、該枠線画像を合成する。さらに、第１表示画像生成部５８は、全てのブロックについて、上記処理を行うことで、第４表示画像を生成する。
【０１６２】
なお、閾値Ｓは、予め設定して図示を省略する記憶部に記憶しておく。また、閾値Ｓは、ユーザによる操作表示部３２の操作指示によって変更可能としてもよい。
【０１６３】
また、本実施の形態では、第１表示画像生成部５８は、最大削減画素率が、予め定めた閾値Ｓ以上である場合に、当該ブロックに相当する領域を囲む枠線画像を第２画像データに合成する場合を説明するが、最大削減画素率が閾値Ｓ以上である領域を示す画像を第２画像データに合成すればよく、枠線画像に限られない。
【０１６４】
図９は、第４表示画像の生成を示す模式図である。
【０１６５】
図９（Ａ）は、第３総量規制データ７６を示す模式図である。図９（Ｂ）は、第４表示画像７７を示す模式図である。
【０１６６】
第３総量規制データ７６は、Ｃ色、Ｍ色、Ｙ色、Ｋ色の各々の各色の第３総量規制データからなる。このため、図９（Ａ）に示すように、第１表示画像生成部５８は、第３総量規制データ７６における、Ｃ色、Ｍ色、Ｙ色、Ｋ色の各々のブロック７６Ａ内の削減画素率（ＲＣｒａtｉｏ、ＲＭｒａtｉｏ、ＲＹｒａtｉｏ、ＲＫｒａtｉｏ）を算出する。そして、第１表示画像生成部５８は、各ブロック７６Ａにおける、各色の削減画素率の内の最大値を、最大削減画素率（Ｒｍａｘｒａｔｉｏ）として算出する。さらに、第１表示画像生成部５８は、算出した最大削減画素率（Ｒｍａｘｒａｔｉｏ）が、閾値Ｓ以上である領域を示す枠線画像７７Ｂを作成する。
【０１６７】
そして、第１表示画像生成部５８は、第２表示画像生成部５６が生成した第２画像データのプレビュー画像７７Ａに、該枠線画像７７Ｂを合成することで、第４表示画像７７を作成する。
【０１６８】
図１０は、第１表示画像生成部５８が作成した第４表示画像７７を含む表示画面８６の一例を示す模式図である。表示画面８６は、第３生成部５４によって作成され、表示制御部３１によって操作表示部３２に表示される。
【０１６９】
図１０に示す例では、表示画面８６は、第２表示画像生成部５６が作成した第２画像データのプレビュー画像７７Ａ上に、第１表示画像生成部５８が生成した、最大削減画素率が閾値Ｓ以上である領域を示す枠線画像７７Ｂを合成した、合成画像としての第４表示画像７７を含む。
【０１７０】
このように、第３生成部５４が、第４表示画像７７を作成し、表示制御部３１が、該第４表示画像７７を操作表示部３２に表示することで、総量規制処理によって濃度値の削減された領域を、詳細に且つわかりやすく提供することができる。
【０１７１】
次に、画像処理装置２６で実行する画像処理の手順を説明する。
【０１７２】
図１１は、画像処理装置２６における総量規制部４８が実行する総量規制処理の手順を示すフローチャートである。
【０１７３】
まず、総量規制部４８が、合成部４６から取得した第１画像データを読取る（ステップＳ１００）。なお、第１画像データは、上述したように、具体的には、Ｃ色、Ｍ色、Ｙ色、Ｋ色の第１画像データからなる。
【０１７４】
次に、総量規制部４８は、ステップＳ１００で読み取った第１画像データの構成する全画素が処理済であるか否かを判別する（ステップＳ１０２）。総量規制部４８は、例えば、第１画像データを構成する各画素の画素位置の全てに対応づけて、処理済を示す情報が図示を省略するメモリに記憶されているか否かを判別することで、ステップＳ１０２の判断を行う。
【０１７５】
次に、総量規制部４８は、第１画像データを構成する画素の内、未処理の１の画素位置を、処理対象の画素位置として設定する（ステップＳ１０４）。
【０１７６】
次に、第１生成部５０が、ステップＳ１００で読み取った、Ｃ色、Ｍ色、Ｙ色、Ｋ色の第１画像データにおける、ステップＳ１０４で設定した画素位置の画素について、総量規制処理を行う（ステップＳ１０６）。ステップＳ１０６の処理によって、第１生成部５０は、該Ｃ色、Ｍ色、Ｙ色、Ｋ色の第１画像データについて、対応する画素位置の画素毎の各色の濃度値の合計が予め定められた総量規制値以下となるように、総量規制値に応じて濃度値を削減する。そして、Ｃ色、Ｍ色、Ｙ色、Ｋ色の各々の削減後の濃度値を、Ｃ色、Ｍ色、Ｙ色、Ｋ色の各々の該画素位置の画素の濃度値、すなわち、第１生成部５０で作成する第２画像データにおける、該画素位置の濃度値として、図示を省略するメモリに記憶する（ステップＳ１０８）。
【０１７７】
次に、第２生成部５２が、Ｃ色、Ｍ色、Ｙ色、Ｋ色の第１画像データにおける、ステップＳ１０４で設定した画素位置の画素の濃度値に対する、上記ステップＳ１０８で記憶した、対応する色（Ｃ色、Ｍ色、Ｙ色、Ｋ色）の各々の総量規制処理による削減後の濃度値の削減量を算出する（ステップＳ１１０）。そして、第２生成部５２は、算出した、Ｃ色、Ｍ色、Ｙ色、Ｋ色の各々の濃度値の削減量を、Ｃ色、Ｍ色、Ｙ色、Ｋ色の各々の該画素位置の画素の濃度値の削減量、すなわち、第２生成部５２で作成する第１総量規制データにおける、該画素位置の濃度値の削減量として、図示を省略するメモリに記憶する（ステップＳ１１２）。
【０１７８】
次に、第２生成部５２が、Ｃ色、Ｍ色、Ｙ色、Ｋ色の第１画像データにおける、ステップＳ１０４で設定した画素位置の画素の濃度値に対する、上記ステップＳ１０８で記憶した、各色（Ｃ色、Ｍ色、Ｙ色、Ｋ色）の各々の総量規制処理による削減後の濃度値の、削減率を算出する（ステップＳ１１４）。そして、第２生成部５２は、算出した、Ｃ色、Ｍ色、Ｙ色、Ｋ色の各々の濃度値の削減率を、Ｃ色、Ｍ色、Ｙ色、Ｋ色の各々の該画素位置の画素の濃度値の削減率、すなわち、第２生成部５２で作成する第２総量規制データにおける、該画素位置の濃度値の削減率として、図示を省略するメモリに記憶する（ステップＳ１１６）。
【０１７９】
次に、第２生成部５２が、Ｃ色、Ｍ色、Ｙ色、Ｋ色の第１画像データにおける、ステップＳ１０４で設定した画素位置の画素の濃度値について、上記ステップＳ１０６の総量規制処理による濃度値の削減の有無を算出する（ステップＳ１１８）。そして、第２生成部５２は、算出した、Ｃ色、Ｍ色、Ｙ色、Ｋ色の各々の濃度値の削減の有無を、Ｃ色、Ｍ色、Ｙ色、Ｋ色の各々の該画素位置の画素の濃度値の削減の有無、すなわち、第２生成部５２で作成する第３総量規制データにおける、該画素位置の濃度値の削減の有無として、図示を省略するメモリに記憶する（ステップＳ１２０）。
【０１８０】
なお、ステップＳ１２０の処理後に、総量規制部４８は、上記ステップＳ１０４で処理対象として設定した画素位置に対応づけて、処理済を示す情報を図示を省略するメモリに記憶する。そして、上記ステップＳ１０２へ戻る。
【０１８１】
総量規制部４８が、ステップＳ１００〜ステップＳ１２０の処理を、第１画像データの全ての画素について実行することによって、総量規制部４８は、第２画像データ、第１総量規制データ、第２総量規制データ、及び第３総量規制データを作成する。
【０１８２】
次に、第３生成部５４が実行する、表示画像生成処理を説明する。
【０１８３】
図１２は、第３生成部５４が実行する、表示画像生成処理の手順を示すフローチャートである。
【０１８４】
まず、第３生成部５４が、総量規制部４８から受け付けた表示処理用画像データから、第２画像データを読取る（ステップＳ２００）。次に、第３生成部５４は、読み取った第２画像データを、公知の色変換方法によって、ＣＭＹＫ表色系で示される第２画像データを、ＲＧＢ表色系で示される第２画像データに変換する（ステップＳ２０２）。これによって、第３生成部５４は、第２画像データのプレビュー画像を生成する（ステップＳ２０４）。
【０１８５】
次に、第１表示画像生成部５８が、総量規制部４８から受け付けた表示処理用画像データから、総量規制データを読取る（ステップＳ２０６）。
【０１８６】
次に、第１表示画像生成部５８が、ステップＳ２０６で読み取った総量規制データにおける、第１総量規制データを用いて、第１表示画像を生成する、第１表示画像生成処理を実行する（ステップＳ２０８）。なお、ステップＳ２０８の処理の詳細は後述する。
【０１８７】
次に、第１表示画像生成部５８が、ステップＳ２０６で読み取った総量規制データにおける、第２総量規制データを用いて、第２表示画像を生成する、第２表示画像生成処理を実行する（ステップＳ２１０）。なお、ステップＳ２１０の処理の詳細は後述する。
【０１８８】
次に、第１表示画像生成部５８が、ステップＳ２０６で読み取った総量規制データにおける、第３総量規制データを用いて、第３表示画像を生成する、第３表示画像生成処理を実行する（ステップＳ２１２）。なお、ステップＳ２１２の処理の詳細は後述する。
【０１８９】
次に、第１表示画像生成部５８が、ステップＳ２０６で読み取った総量規制データにおける、第３総量規制データを用いて、第４表示画像を生成する、第４表示画像生成処理を実行する（ステップＳ２１４）。なお、ステップＳ２１４の処理の詳細は後述する。そして、本ルーチンを終了する。
【０１９０】
次に、ステップＳ２０８（図１２参照）における、第１表示画像生成処理を説明する。
【０１９１】
図１３は、第１表示画像生成部５８が実行する第１表示画像生成処理の手順を示すフローチャートである。
【０１９２】
第１表示画像生成部５８は、上記ステップＳ２０６（図１２参照）で読み取った総量規制データにおける第１総量規制データについて、頁単位で、図１３に示す手順を繰り返し実行する。
【０１９３】
第１表示画像生成部５８は、該第１総量規制データに含まれる全ての画素について、全画素処理済であるか否かを判別する（ステップＳ３００）。第１表示画像生成部５８は、例えば、第１総量規制データを構成する各画素の画素位置の全てに対応づけて、処理済を示す情報が図示を省略するメモリに記憶されているか否かを判別することで、ステップＳ３００の判断を行う。
【０１９４】
ステップＳ３００で肯定判断すると（ステップＳ３００：Ｙｅｓ）、本ルーチンを終了する。一方、ステップＳ３００で否定判断すると（ステップＳ３００：Ｎｏ）、ステップＳ３０２へ進む。
【０１９５】
ステップＳ３０２では、第１表示画像生成部５８は、第１総量規制データを構成する全画素の画素位置の内、未処理の１の画素の画素位置を、処理対象の画素位置として設定する（ステップＳ３０２）。
【０１９６】
次に、第１表示画像生成部５８は、各色の第１総量規制データの、上記ステップＳ３０２で設定した画素位置の画素について、Ｃ色、Ｍ色、Ｙ色、Ｋ色の各々の削減量を取得し、当該画素位置における最大削減量（Ｒｍａｘｄｉｆｆ）を算出する（ステップＳ３０４）。
【０１９７】
次に、第１表示画像生成部５８は、ステップＳ３０４で算出した最大削減量に対応する色を、当該画素位置の画素の表示色として決定する（ステップＳ３０６）。そして、第１表示画像生成部５８は、ステップＳ３０６で決定した表示色を、ステップＳ３０２で設定した画素位置の表示色を示す情報として描画する（ステップＳ３０８）。そして第１表示画像生成部５８は、上記ステップＳ３０２で処理対象として設定した画素位置に対応づけて、処理済を示す情報を、図示を省略するメモリに記憶し、上記ステップＳ３００へ戻る。
【０１９８】
第１表示画像生成部５８が、ステップＳ３００〜ステップＳ３０８の処理を実行することによって、第１表示画像生成部５８は、第１表示画像を生成する。
【０１９９】
次に、ステップＳ２１０（図１２参照）における、第２表示画像生成処理を説明する。
【０２００】
図１４は、第１表示画像生成部５８が実行する第２表示画像生成処理の手順を示すフローチャートである。
【０２０１】
第１表示画像生成部５８は、上記ステップＳ２０６（図１２参照）で読み取った総量規制データにおける第２総量規制データについて、頁単位で、図１４に示す手順を繰り返し実行する。
【０２０２】
第１表示画像生成部５８は、該第２総量規制データに含まれる全ての画素について、全画素処理済であるか否かを判別する（ステップＳ４００）。第１表示画像生成部５８は、例えば、第２総量規制データを構成する各画素の画素位置の全てに対応づけて、処理済を示す情報が図示を省略するメモリに記憶されているか否かを判別することで、ステップＳ４００の判断を行う。
【０２０３】
ステップＳ４００で肯定判断すると（ステップＳ４００：Ｙｅｓ）、本ルーチンを終了する。一方、ステップＳ４００で否定判断すると（ステップＳ４００：Ｎｏ）、ステップＳ４０２へ進む。
【０２０４】
ステップＳ４０２では、第１表示画像生成部５８は、第２総量規制データを構成する全画素の画素位置の内、未処理の１の画素の画素位置を、処理対象の画素位置として設定する（ステップＳ４０２）。
【０２０５】
次に、第１表示画像生成部５８は、各色の第２総量規制データの、上記ステップＳ４０２で設定した画素位置の画素について、Ｃ色、Ｍ色、Ｙ色、Ｋ色の各々の削減率を取得し、当該画素位置における最大削減率（ＲｍａｘＲ）を算出する（ステップＳ４０４）。
【０２０６】
次に、第１表示画像生成部５８は、ステップＳ４０４で算出した最大削減率に対応する色を、当該画素位置の画素の表示色として決定する（ステップＳ４０６）。そして、第１表示画像生成部５８は、ステップＳ４０６で決定した表示色を、ステップＳ４０２で設定した画素位置の表示色を示す情報として描画する（ステップＳ４０８）。そして第１表示画像生成部５８は、上記ステップＳ４０２で処理対象として設定した画素位置に対応づけて、処理済を示す情報を、図示を省略するメモリに記憶し、上記ステップＳ４００へ戻る。
【０２０７】
第１表示画像生成部５８が、ステップＳ４００〜ステップＳ４０８の処理を実行することによって、第１表示画像生成部５８は、第２表示画像を生成する。
【０２０８】
次に、ステップＳ２１２（図１２参照）における、第３表示画像生成処理を説明する。
【０２０９】
図１５は、第１表示画像生成部５８が実行する第３表示画像生成処理の手順を示すフローチャートである。
【０２１０】
第１表示画像生成部５８は、上記ステップＳ２０６（図１２参照）で読み取った総量規制データにおける第３総量規制データについて、頁単位で、図１５に示す手順を繰り返し実行する。
【０２１１】
第１表示画像生成部５８は、該第３総量規制データを、予め定めた複数のブロックに分割する（ステップＳ５００）。
【０２１２】
次に、第１表示画像生成部５８は、該第３総量規制データにおける全ブロックが処理済（全ブロック処理済）であるか否かを判別する（ステップＳ５０２）。第１表示画像生成部５８は、例えば、第３総量規制データを構成する各ブロックの全てに対応づけて、処理済を示す情報が図示を省略するメモリに記憶されているか否かを判別することで、ステップＳ５０２の判断を行う。
【０２１３】
ステップＳ５０２で肯定判断すると（ステップＳ５０２：Ｙｅｓ）、本ルーチンを終了する。一方、ステップＳ５０２で否定判断すると（ステップＳ５０２：Ｎｏ）、ステップＳ５０４へ進む。
【０２１４】
ステップＳ５０４では、第１表示画像生成部５８は、第３総量規制データにおける全ブロックの内、未処理の１のブロックを、処理対象のブロックとして設定する（ステップＳ５０４）。
【０２１５】
次に、第１表示画像生成部５８は、各色の第３総量規制データの、上記ステップＳ５０４で設定したブロック内における、濃度値の削減された画素の割合である削減画素率を、各色の第３総量規制データごとに算出し、削減画素率の最大値を、最大削減画素率（Ｒｍａｘｒａｔｉｏ）として算出する（ステップＳ５０６）。
【０２１６】
次に、第１表示画像生成部５８は、ステップＳ５０６で算出した最大削減画素率に対応する色を、当該ブロックの位置の表示色として決定する（ステップＳ５０８）。そして、第１表示画像生成部５８は、ステップＳ５０８で決定した表示色を、ステップＳ５０４で設定したブロックに対応する位置の画素位置の表示色を示す情報として描画する（ステップＳ５１０）。
【０２１７】
そして第１表示画像生成部５８は、上記ステップＳ５０４で処理対象として設定したブロックの識別情報に対応づけて、処理済を示す情報を、図示を省略するメモリに記憶し、上記ステップＳ５０２へ戻る。なお、ブロックの識別情報には、ブロックを構成する画素の内の特定の画素（例えば、中心に位置する画素）の画素位置等を用いればよい。
【０２１８】
第１表示画像生成部５８が、ステップＳ５００〜ステップＳ５１０の処理を実行することによって、第１表示画像生成部５８は、第３表示画像を生成する。
【０２１９】
次に、ステップＳ２１４（図１２参照）における、第４表示画像生成処理を説明する。
【０２２０】
図１６は、第１表示画像生成部５８が実行する第４表示画像生成処理の手順を示すフローチャートである。
【０２２１】
第１表示画像生成部５８は、上記ステップＳ２０６（図１２参照）で読み取った総量規制データにおける第３総量規制データについて、頁単位で、図１６に示す手順を繰り返し実行する。
【０２２２】
第１表示画像生成部５８は、該第３総量規制データを、予め定めた複数のブロックに分割する（ステップＳ６００）。
【０２２３】
次に、第１表示画像生成部５８は、該第３総量規制データにおける全ブロックが処理済（全ブロック処理済）であるか否かを判別する（ステップＳ６０２）。第１表示画像生成部５８は、例えば、第３総量規制データを構成する各ブロックの全てに対応づけて、処理済を示す情報が図示を省略するメモリに記憶されているか否かを判別することで、ステップＳ６０２の判断を行う。
【０２２４】
ステップＳ６０２で肯定判断すると（ステップＳ６０２：Ｙｅｓ）、本ルーチンを終了する。一方、ステップＳ６０２で否定判断すると（ステップＳ６０２：Ｎｏ）、ステップＳ６０４へ進む。
【０２２５】
ステップＳ６０４では、第１表示画像生成部５８は、第３総量規制データにおける全ブロックの内、未処理の１のブロックを、処理対象のブロックとして設定する（ステップＳ６０４）。
【０２２６】
次に、第１表示画像生成部５８は、各色の第３総量規制データの、上記ステップＳ６０４で設定したブロック内における、濃度値の削減された画素の割合である削減画素率を、各色の第３総量規制データごとに算出し、削減画素率の最大値を、最大削減画素率（Ｒｍａｘｒａｔｉｏ）として算出する（ステップＳ６０６）。
【０２２７】
次に、第１表示画像生成部５８は、上記ステップＳ６０６で算出した最大削減画素率が、予め定めた閾値Ｓ以上であるか否かを判断する（ステップＳ６０８）。ステップＳ６０８で否定判断すると（ステップＳ６０８：Ｎｏ）、上記ステップＳ６０２へ戻る。
【０２２８】
一方、上記ステップＳ６０８で肯定判断すると（ステップＳ６０８：Ｙｅｓ）、ステップＳ６１０へ進む。ステップＳ６１０では、上記ステップＳ６０４で処理対象として設定したブロックによって特定される領域を示す枠線画像を、第２表示画像生成部５６が生成した第２画像データのプレビュー画像に描画（合成）する（ステップＳ６１０）。
【０２２９】
そして、第１表示画像生成部５８は、上記ステップＳ６０４で処理対象として設定したブロックの識別情報に対応づけて、処理済を示す情報を図示を省略するメモリに記憶し、上記ステップＳ６０２へ戻る。なお、ブロックの識別情報には、ブロックを構成する画素の内の特定の画素（例えば、中心に位置する画素）の画素位置等を用いればよい。
【０２３０】
第１表示画像生成部５８が、ステップＳ６００〜ステップＳ６１０の処理を実行することによって、第１表示画像生成部５８は、第４表示画像を生成する。
【０２３１】
そして、第３生成部５４で生成された、第２画像データのプレビュー画像、第１表示画像、第２表示画像、第３表示画像、及び第４表示画像は、表示制御部３１の制御によって、操作表示部３２に表示される。
【０２３２】
このため、上述したように、操作表示部３２には、第２画像データのプレビュー画像、第１表示画像、第２表示画像、第３表示画像、及び第４表示画像が表示されることとなる（図４、図５、図８、図１０参照）。
【０２３３】
以上説明したように、本実施の形態の画像処理装置２６では、第２生成部５２が、総量規制処理前の第１画像データの各画素の濃度値に対応する、総量規制処理によって作成された第２画像データの各画素の濃度値の削減状況を、色毎に示す、総量規制データを生成する。そして、第３生成部５４は、第２画像データの第１画像データに対する各画素の濃度値の削減状況を、削減状況に応じた表示色で示す表示画像を生成する。表示制御部３１は、第３生成部５４で生成された表示画像を、操作表示部３２へ表示する制御を行う。
【０２３４】
このため、本実施の形態の画像形成装置１０及び画像処理装置２６では、印刷対象の画像について、総量規制処理による濃度値の削減状況を、視覚的に分かりやすく提供することができる。
【０２３５】
また、本実施の形態では、第２生成部５２は、第１総量規制データ、第２総量規制データ、及び第３総量規制データの少なくとも１つを含む、総量規制データを作成する。
【０２３６】
上述したように、第１総量規制データは、第１画像データの各画素の濃度値に対応する、第２画像データの各画素の濃度値の削減量を、色毎に示したデータである。そして、第３生成部５４の第１表示画像生成部５８は、第１総量規制データを用いて、第１表示画像を生成する。第１表示画像は、第２画像データの第１画像データに対する各画素の濃度値の削減量を、削減量に応じた表示色で示す表示画像である。第２表示画像は、第２画像データの第１画像データに対する各画素の濃度値の削減率を、削減率に応じた表示色で示す表示画像である。そして、表示制御部３１は、この第１表示画像及び第２表示画像の少なくとも一方を、操作表示部３２へ表示する制御を行う。
【０２３７】
このため、本実施の形態では、総量規制処理による各画素の濃度値の削減量を、詳細に且つわかりやすく提供することができる。
【０２３８】
また、第２画像データのプレビュー画像も併せて表示することによって、本実施の形態の画像処理装置２６では、ユーザに対して、さらにわかりやすく、総量規制処理による各画素の濃度値の削減状況を提供することができる。
【０２３９】
また、上述したように、第２総量規制データは、第１画像データの各画素の濃度値に対応する、第２画像データの各画素の濃度値の削減率を色毎に示したデータである。そして、第３生成部５４の第１表示画像生成部５８は、第２総量規制データを用いて、第２表示画像を生成する。第２表示画像は、第２画像データの第１画像データに対する各画素の濃度値の削減率を、削減率に応じた表示色で示す表示画像である。そして、表示制御部３１は、この第２表示画像を、操作表示部３２へ表示する制御を行う。
【０２４０】
このため、本実施の形態では、総量規制処理による各画素の濃度値の削減率を、詳細に且つわかりやすく提供することができる。
【０２４１】
また、上述したように、第３総量規制データは、第１画像データの各画素の濃度値に対応する、第２画像データの各画素の濃度値の削減の有無を色毎に示したデータである。そして、第３生成部５４の第１表示画像生成部５８は、第３総量規制データを用いて、第３表示画像、及び第４表示画像を生成する。
【０２４２】
第３表示画像は、第１画像データ及び第２画像データを、予め定めたブロックに分割し、第２画像データの第１画像データに対する各ブロックの、濃度値の削減された画素の割合（削減画素率と称する）を、該削減画素率に応じた色で表す表示画像である。また、第４表示画像は、第２画像データの第１画像データに対する濃度値の削減の有無を、画素毎またはブロック毎に示す表示画像である。そして、表示制御部３１は、これらの第３表示画像及び第４表示画像の各々を、操作表示部３２へ表示する制御を行う。
【０２４３】
このため、本実施の形態では、総量規制処理によって濃度値の削減された領域、及び削減画素率を、詳細に且つわかりやすく提供することができる。
【０２４４】
ここで、従来では、図１７に示すように、単に、第２画像データのプレビュー画像を含む表示画面９０を表示していた。また、従来では、第２画像データのプレビュー画像に含まれる各オブジェクトについて、Ｃ色、Ｍ色、Ｙ色、Ｋ色の各々の総量規制後の濃度値を表示するのみであった。このため、従来では、総量規制による細かな色の違いが分かりにくかった。また、従来では、各オブジェクトについてＣＭＹＫの濃度値を確認する必要があり、総量規制による全体のイメージがつかみにくかった。また、従来では、総量規制処理を行う前と後との違いを確認可能に提供することは困難であった。
【０２４５】
一方、本実施の形態の画像形成装置１０及び画像処理装置２６では、印刷対象の画像について、総量規制処理による濃度値の削減状況を、視覚的に分かりやすく、詳細、且つ具体的に容易に提供することができる。
【０２４６】
なお、本実施の形態の画像形成装置１０は、通常のコンピュータを利用したハードウェア構成となっている。
【０２４７】
本実施の形態の画像形成装置１０で実行される上記画像処理を実行するためのプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０２４８】
また、本実施の形態の画像形成装置１０で実行される画像処理を実行するためのプログラムを、インターネット等のネットワークに接続されたコンピュータ上に格納し、ネットワーク経由でダウンロードさせることにより提供するように構成してもよい。また、本実施の形態の画像形成装置１０で実行される画像処理を実行するためのプログラムを、インターネット等のネットワーク経由で提供または配布するように構成してもよい。
【０２４９】
また、本実施の形態の画像形成装置１０で実行される画像処理を実行するためのプログラムを、ＲＯＭ等に予め組み込んで提供するように構成してもよい。
【０２５０】
なお、本実施の形態の画像処理装置２６は、上述した画像処理を実行するための機能部（フィルタ部４０、変倍部４２、色変換部４４、合成部４６、総量規制部４８（第１生成部５０、第２生成部５２）、第３生成部５４（第２表示画像生成部５６、第１表示画像生成部５８））を含むモジュール構成となっており、実際のハードウェアとしてはＣＰＵ（プロセッサ）が記憶媒体から、画像処理を実行するためのプログラムを読み出して実行することにより上記各機能部が主記憶装置上にロードされ、主記憶装置上に生成されるようになっている。
【０２５１】
なお、上記には、本実施の形態を説明したが、本実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【０２５２】
なお、上記実施の形態では、画像形成装置１０は、スキャナ部２８、画像形成部３０、及びＦＡＸ部３６を備える構成を例に挙げて説明したが、スキャナ部２８及びＦＡＸ部３６の少なくとも一方を備えない構成であってもよい。
【符号の説明】
【０２５３】
１０  画像形成装置
２６  画像処理装置
３１  表示制御部
３２  操作表示部
４８  総量規制部
５０  第１生成部
５２  第２生成部
５４  第３生成部
５６  第２表示画像生成部
５８  第１表示画像生成部
【先行技術文献】
【特許文献】
【０２５４】
【特許文献１】特開２００６−０１８６４９号公報
【図１】
2014017541.tif 000013
【図２】
2014017541.tif 000014
【図３】
2014017541.tif 000015
【図４】
2014017541.tif 000016
【図５】
2014017541.tif 000017
【図６】
2014017541.tif 000018
【図７】
2014017541.tif 000019
【図８】
2014017541.tif 000020
【図９】
2014017541.tif 000021
【図１０】
2014017541.tif 000022
【図１１】
2014017541.tif 000023
【図１２】
2014017541.tif 000024
【図１３】
2014017541.tif 000025
【図１４】
2014017541.tif 000026
【図１５】
2014017541.tif 000027
【図１６】
2014017541.tif 000028
【図１７】
2014017541.tif 000029